(57)【要約】【課題】  収納物の外観上管理状態判別を解決するために、収納物の容器に収納物が階段状になる傾斜を付け、収納物の用途別、並びに管理状態を直視で確認できるようにし、なおかつ、使用したい収納物だけを簡単に取り出せる簡易型収納容器を提供する。【解決手段】  前面板２、側面板３、４及び背面板５を有する矩形の容器を形成する簡易型収納容器において、切り取り線２ａ、２ｂと筋押し線２ｃ、２ｄ、２ｅを入れた前面板２と前記切り取り線２ａ、２ｂで切り裂く部分の前記筋押し線２ｃ、２ｄ、２ｅと折り込む前記背面板５の切り込み線５ｂを介して傾斜面２ｆを設ける。【選択図】  図２
2006347619.tif 000002
【特許請求の範囲】
【請求項１】
少なくとも前面板、該前面板の両側端縁に夫々連結された２つの側面板、及び背面板から成る箱形の簡易型収納容器において、
前記前面板の一部に下端縁を山折りの折り曲げ線として内側へ折り曲げ可能な領域を形成し、この領域の先端部を前記背面板に設けた切り込み線内に挿入係止することにより、前方から後方へ上向き傾斜した傾斜面を形成し、この傾斜面上に収納物を載置する構成としたことを特徴とする簡易型収納容器。
【請求項２】
前記各側面板の上端縁に設けた側面フラップを内側に折り込み、前記各側面板に形成した切り込み部に前記各側面フラップの先端部分を挿入係止したときに、前記各側面フラップが内側へ膨らんだ状態となるように構成したことを特徴とする請求項１記載の簡易型収納容器。
【請求項３】
前記背面板の上端縁に連結した上面フラップを内側に折り込んだ際に、上面フラップの折り曲げ部の上端縁が、前記傾斜面上に配列した最後部の収納物の上端部よりも低い高さ位置となるように構成したことを特徴とする請求項１、又は２に記載の簡易型収納容器。
【請求項４】
前記前面板、前記２つの側面板、及び前記背面板、更にはこれらに連結された各フラップは、一枚のシート状に連結されていることを特徴とする請求項１、２、又は３に記載の簡易型収納容器。
【請求項５】
前記前面板の一部に設けた内側へ折り曲げ可能な領域は、その下端縁の前記折り曲げ線よりも先端側に谷折り用の折り曲げ線を備えることにより、前記傾斜面の先端縁は前記下端縁の折り曲げ線よりも下方に位置することを特徴とする請求項１乃至４の何れか一項に記載の簡易型収納容器。
【請求項６】
自重で正面方向へ移動する収納物を許容するように、前記前面板からなる組み立て後の前記傾斜面の傾斜角度が、３５度±５度になることを特徴する請求項１乃至５の何れか一項に記載の簡易型収納容器。
【発明の詳細な説明】
【技術分野】
【０００１】
本発明は、ディスク型記録媒体を量販店等において販売用に陳列したり、或いはサンプル用として陳列する際に使用できる簡易型収納容器に関するものである。
【背景技術】
【０００２】
ＭＦＤ（ミニフロッピー（登録商標）ディスク）、ＭＤ（ミニディスク）、ＣＤ（コンパクトディスク）、ＤＶＤ等のディスク型記録媒体を小売店等において陳列する際には、問屋等から小売店に搬送されてきた際の梱包箱を開梱し、ディスク型記録媒体を数個単位で収納する収納容器を取り出す。この収納容器のままでは陳列できないため、更に収納容器から個々のディスク型記録媒体を取り出して陳列棚等に並べるのが従来の陳列方法である。
しかし、これでは不便であるため、梱包用の収納容器を陳列用のケースと兼用させるようにした技術が提案されている。例えば、前面板上部、両側部上部及び両側部フラップを切り取り線に沿って斜めに切り取り、背面板の傾斜フラップをミシン目に沿って切り離して、下縁の折り線に沿って傾斜フラップを内方に折り込み、それに連結されている上面部（蓋）も内方に折り込む方式を取っている展示用の箱を兼ねた箱型収納容器が提案されている（例えば、特許文献１参照）。
【特許文献１】特開平０８−３１０５８０号公報
【発明の開示】
【発明が解決しようとする課題】
【０００３】
しかしながら、上記従来例では、梱包用に利用されていた容器の構成要素のうち、展示手段としての用途に転用することができる部分以外に、利用できずに廃棄する部分が発生するため、ゴミが発生する。
また、容器底面に形成される傾斜面上に収納物を階段状に収納した場合に、満杯状態にあった収納物を複数枚（３枚以下）取り出して残数が少なくなった場合に、傾斜面に沿って残りの収納物が倒れ込むという不具合があった。
従来の収納容器は、収納物の高さと箱型収納容器の側壁の高さが同じものが多く、収納物の取り出しは、収納容器自体を逆さにさせて収納物を取り出すと言った手段を取っている。
そこで、本発明の目的は、収納物の外観上管理状態判別を解決するために、収納物の容器内底部に収納物が階段状になる傾斜面を付け、収納物の用途別、並びに管理状態を直視で確認できるようにし、なおかつ、使用したい収納物だけを簡単に取り出せる簡易型収納容器を提供することにある。
【課題を解決するための手段】
【０００４】
上記の課題を解決するために、請求項１に記載の発明は、少なくとも前面板、該前面板の両側端縁に夫々連結された２つの側面板、及び背面板から成る箱形の簡易型収納容器において、前記前面板の一部に下端縁を山折りの折り曲げ線として内側へ折り曲げ可能な領域を形成し、この領域の先端部を前記背面板に設けた切り込み線内に挿入係止することにより、前方から後方へ上向き傾斜した傾斜面を形成し、この傾斜面上に収納物を載置する構成としたことを特徴とする。
請求項２の発明は、請求項１において、前記各側面板の上端縁に設けた側面フラップを内側に折り込み、前記各側面板に形成した切り込み部に前記各側面フラップの先端部分を挿入係止したときに、前記各側面フラップが内側へ膨らんだ状態となるように構成したことを特徴とする。
請求項３の発明は、請求項１、又は２において、前記背面板の上端縁に連結した上面フラップを内側に折り込んだ際に、上面フラップの折り曲げ部の上端縁が、前記傾斜面上に配列した最後部の収納物の上端部よりも低い高さ位置となるように構成したことを特徴とする。
請求項４の発明は、請求項１、２、又は３において、前記前面板、前記２つの側面板、及び前記背面板、更にはこれらに連結された各フラップは、一枚のシート状に連結されていることを特徴とする。
請求項５の発明は請求項１乃至４において、前記前面板の一部に設けた内側へ折り曲げ可能な領域は、その下端縁の前記折り曲げ線よりも先端側に谷折り用の折り曲げ線を備えることにより、前記傾斜面の先端縁は前記下端縁の折り曲げ線よりも下方に位置することを特徴とする。
請求項６の発明は、請求項１乃至５において、自重で正面方向へ移動する収納物を許容するように、前記前面板からなる組み立て後の前記傾斜面の傾斜角度が、３５度±５度になることを特徴する。
【発明の効果】
【０００５】
本発明によれば、組み立てた状態にある収納容器は内底部に手前から後方へ上向き傾斜した傾斜面を備えると共に、後面板が最後部の収納物よりも低い高さとなるため、最後部の収納部を取り出すことが容易となる。
また、側方に位置する側面フラップを利用して収納物を抑えるので、傾斜面上の残数が少なくなった場合に、傾斜面に沿って残りの収納物が倒れ込むという不具合をなくすることができる。
【発明を実施するための最良の形態】
【０００６】
以下、図面を参照して、本発明の実施の形態を詳細に説明する。図１は本発明による簡易型収納容器の展開図である。図２は図１に示した簡易型収納容器の組み立て完成状態を示す概略斜視図である。図３は傾斜フラップを内側に折り込んで傾斜面を形成した簡易型収納容器を示す完成図である。
本発明の簡易型収納容器Ａは、従来の箱型収納箱形状に工夫を加えて、図１のような１枚の厚紙、及び薄型状の軟質プラスチックシートを、新規な抜き金型を用いて型抜きすることにより形成したものである。薄型状の軟質プラスチックとしては、ポリプロピレンが好ましい。
このように、簡易型収納容器Ａは、厚紙、または薄板状の軟質プラスチックシートにて構成されており、リサイクル材料として再利用が可能であり、環境的に優れた効果を提供することができる。特に、運搬のための梱包状態から展示用の形態に変形させる際に廃棄する部分がないので、経済的であり、環境に対する配慮も十分である。
この簡易型収納容器Ａは、前面板２と、前面板２の両側端縁に夫々折り曲げ自在に連結された側面板３、４と、側面板３、又は４の他端縁に折り曲げ自在に連結された背面板５と、前面板２の底縁に折り曲げ自在に連結された底面部６と、を備える。更に、背面板５の上端縁には上面フラップ（天面フラップ）１が折り曲げ自在に連結され、背面板５の他端縁には糊代部５ｃが連結され、側面板３の上端縁には側面フラップ１ｂが、側面板４の上端縁には側面フラップ１ｃが、下端縁には糊代部６ａが夫々連結されている。前面板２の面内には、所定の間隔を隔てて平行に配置された切り取り線２ａと２ｂが形成されている。各切り取り線２ａ、２ｂは、前面板２の上端縁から下方へ延びて、前面板２の下端縁の所定距離上方で終端している。更に、両切り取り線２ａ、２ｂ内に形成される矩形の領域２ｆは後述する傾斜面として箱体の内側に傾斜して折り曲げられて、収納物の底部を支持する手段となる。
背面板５の適所（高さ方向中間部よりも下方）には水平な切り込み線５ｂを形成する。
前面板２、側面板３、４及び背面板５の連結線を折り曲げることによって箱形の容器を形成することができる。
切り取り線２ａと２ｂによって形成される領域２ｆは、下端縁に筋押し線２ｅを有すると共に、その直上に筋押し線２ｄを、更に上端縁の近傍に他の筋押し線２ｃを有する。
図２、図３に示すように、各切り取り線２ａ、２ｂを切断して領域２ｆをフリーの状態にしてから、筋押し線２ｃ、２ｄ及び２ｅを谷折りに折り曲げて箱体内部に入れ込む。先端部分（筋押し線２ｃよりも先端部分）を背面板５の切り込み線５ｂ内へ差込み挿入して係止する。筋押し線２ｅの位置では１８０度下方へ折り曲げて筋押し線２ｅと２ｄとの間の部分を前面板２の内面と密着させる。領域２ｆは手前側から後方へ上向きに傾斜した傾斜面となる。
組み立てられた正面部（前面板）２の内側には、背面板５までに達する傾斜面２ｆが設けられる。
【０００７】
図１乃至図３には、各側面板３、４の上部適所に形成した円弧状の切り込み３ａ、４ａ、背面板５の上部適所に形成した半円状の切り込み５ａ、フラップ１ａに形成した筋押し線７、８、９が示してある。
この簡易型収納容器Ａ内に収納物としてのディスク型記録媒体１０を収納する際には、傾斜面２ｆ上に載置する。その結果、ディスク型記録媒体１０は、前方から後方へ向けて階段状の傾斜を有して配列され、管理者は、収納物１０の状態を目視により容易に確認できる。
側面フラップ１ｂと１ｃを筋押し線を介して収納物の収納箱（容器）１０の内側に折り込み、側面板３、４に設けた半円状の切り込み部３ａと４ａ内に各側面フラップ１ｂと１ｃの先端部分を挿入し、係止する（図３）。
側面フラップ１ｂと１ｃを挿入する半円状の切り込み部３ａと４ａの各側面板３、４上縁部からの距離は、側面フラップ１ｂと１ｃの高さ方向長よりも短い距離となっている。
したがって、側面フラップ１ｂと１ｃ先端を各切り込み部内に挿入した後の形状は、側面フラップ１ｂと１ｃに膨らみを与える。収納された収納物の容器１０は、折り込んだ側面フラップ１ｂと１ｃの弾力性を介して、収納物の容器１０側端面を押えるようになっている。
これによれば、側面フラップ１ｂと１ｃを切り取らず、内側へ折り込み、収納物１０を押える役目を与えて、収納物１０の数量が少ない場合の傾きを押えると言った簡易保管に優れた効果を提供することができる。
筋押し線７、８、９を折り曲げて、背面板５の半円状の切り込み部５ａ内に上面フラップ１の先端部分１ａを挿入する。背面板５の切り込み部５ａの高さ位置は、上面（天面）フラップ１を折り込んだときに最後部に位置する収納物１０の上端部よりもフラップ１の上端部が低い位置となるように設定されており、このため、フラップ１が最後部の収納物１０の出入れに対する障害となることがなくなり、正面及び背面からの出し入れが可能となる。
傾斜面２ｂ上に収納物１０を階段状に配列した場合に、最後部の収納物１０は支持部分が必要となる。従来の収納容器では、この支持部分が最後部の収納物１０より高かったため、収納物１０の取り出しは手前からのみとなっていた。
これに対して本発明によれば、上面フラップ１を利用して最後部の収納物１０を支える役割をさせるが、この上面フラップ１を最後部の収納物１０より低い高さに調節することにより、収納物１０を手前から、並びに最後部から取り出し可能とする効果を有する。
【０００８】
図４は収納物を収納した状態を示す。図５は傾斜フラップを内側に折り込んで傾斜面を形成した簡易型収納容器の背面図である。図６は傾斜フラップを内側に折り込んで傾斜面を形成した収納容器の概略断面図である。
簡易型収納容器Ａは、収納物１０を収納した場合に、図４、または図５のような完成状態となる。図６には、簡易型収納容器Ａに収納物１０を収納した場合の側面断面図を示してあり、図から判るように、収納物１０が階段形状となっており、使用状況が一目で確認できる。
図４乃至図６の収納容器Ａには、上面フラップ（天面フラップ）１、この上面フラップの側面フラップ１ａ、正面部（前面板）２、筋押し線２ｃ、２ｄ及び２ｅ、背面板５までを形状とする傾斜面２ｆ、両側面板３及び４、側面板４の切り込み４ａが示してある。
また、背面板５、背面板５の半円状の切り込み５ａ、先端部分（筋押し線）２ｃを挿入する背面板５の切り込み線５ｂ、底面部６、筋押し線８、収納物１０が示してある。
収納物１０を傾斜面２ｆ上に階段状に収納した場合は、階段状の収納物１０の重心が収納物１０の正面側に加わってしまうが、筋押し線２ｄを介して一段下げて傾斜面２ｆを組み立てることにより、収納物１０の正面側の支える面積を増大して収納容器Ａの耐久性を向上する効果を提供することができる。
従来の箱型収納容器には、安価に製造されるもので階段状の管理活用ができる箱型収納容器は無かった。また、収納物１０自体の自重移動についても考慮されていなかった。
本発明によれば、収納された収納物１０を支持する傾斜面の傾斜角度を３５度±５度にすることにより、収納物１０が自重で手前にスライドして移動する効果を引き出すことができる。これにより、数枚の収納物１０を取り出した場合においても、収納容器Ａ内の収納物１０が自重で正面に移動することができる。
【図面の簡単な説明】
【０００９】
【図１】本発明による簡易型収納容器の展開図である。
【図２】図１に示した簡易型収納容器の組み立て完成を示す概略斜視図である。
【図３】傾斜フラップを内側に折り込んで傾斜面を形成した簡易型収納容器を示す完成図である。
【図４】収納物を挿入した状態で示す本発明による簡易型収納容器の完成図である。
【図５】傾斜フラップを内側に折り込んで傾斜面を形成した簡易型収納容器の背面図である。
【図６】傾斜フラップを内側に折り込んで傾斜面を形成した収納容器の概略断面図である。
【符号の説明】
【００１０】
Ａ  簡易型収納容器
１  上面フラップ（天面フラップ）
１ａ  側面フラップ
１ｂ  側面フラップ
１ｃ  側面フラップ
２  前面板（正面部）
２ａ  切り取り線
２ｂ  切り取り線
２ｃ  筋押し線
２ｄ  筋押し線
２ｅ  筋押し線
２ｆ  傾斜面
３  側面板
３ａ  切り込み
４  側面板
４ａ  切り込み
５  背面板
５ａ  半円状の切り込み
５ｂ  切り込み線
８  筋押し線
１０  収納物または容器
【図１】
2006347619.tif 000003
【図２】
2006347619.tif 000004
【図３】
2006347619.tif 000005
【図４】
2006347619.tif 000006
【図５】
2006347619.tif 000007
【図６】
2006347619.tif 000008